(57)【要約】【課題】容易に設置することができ、且つ、集塵効率を向上することができるフィルタおよび空気調和装置を提供する。【解決手段】フィルタ３３は、空気を清浄するためのフィルタであって、集塵部３３０と、変形部３３１とを備えている。集塵部３３０は、空気中の粒子を集塵する。変形部３３１は、集塵時において集塵部３３０を屈曲状態とするように収縮する。【選択図】        図５
2004337687.tif 000002
【特許請求の範囲】
【請求項１】
空気を清浄するためのフィルタであって、
前記空気中の粒子を集塵する集塵部（３３０、４３０、５３０、６３０）と、
集塵時において前記集塵部（３３０、４３０、５３０、６３０）を屈曲状態とするように収縮する変形部（３３１、４３１、５３１、６３１）と、
を備えるフィルタ（３３、４００、５００、６００）。
【請求項２】
前記変形部（３３１、４３１、５３１、６３１）は、さらに、収納時において前記集塵部（３３０、４３０、５３０、６３０）を伸張状態とするように伸張する、
請求項１に記載のフィルタ。
【請求項３】
前記変形部（３３１、４３１、５３１、６３１）は、前記屈曲状態と前記伸張状態とを保持する、
請求項１または２に記載のフィルタ（３３、４００、５００、６００）。
【請求項４】
前記集塵部（３３０、４３０、５３０、６３０）は、前記屈曲状態を形成する波形を有し、
前記変形部（３３１、４３１、５３１、６３１）が、前記波形のピッチを保持する、
請求項１から３のいずれかに記載のフィルタ（３３、４００、５００、６００）。
【請求項５】
前記集塵部（３３０、４３０、５３０、６３０）は、前記波形を形成する折れ目（３３２、５３２）を有する、
請求項４に記載のフィルタ（３３、４００、５００、６００）。
【請求項６】
前記波形のピッチは、一定である、
請求項４または５に記載のフィルタ（３３、４００、５００、６００）。
【請求項７】
前記集塵部（３３０、４３０、５３０、６３０）は、前記収納時において、円筒状に巻かれる、
請求項１から６のいずれかに記載のフィルタ（３３、４００、５００、６００）。
【請求項８】
調和空気を所定空間に供給するための空気調和装置であって、
ケーシング（１０）と、
前記ケーシング（１０）内に前記所定空間の空気を吸い込み、前記ケーシング（１０）内に吸い込んだ空気を前記所定空間に吹き出す送風部（２０）と、
前記ケーシング（１０）内に吸い込まれる空気が通過する請求項１から７のいずれかに記載のフィルタ（３３、４００、５００、６００）と、
を備える空気調和装置（１、１００）。
【発明の詳細な説明】
【０００１】
【発明の属する技術分野】
本発明は、フィルタおよび空気調和装置に関する。
【０００２】
【従来の技術】
従来から、ビルや住宅等において、調和された空気を送風することにより、快適性を向上させる空気調和装置が知られている。例えば、空気清浄機は、室内空気を取り込み、この室内空気から塵埃、煙、花粉およびその他の異物などの粒子を分離および除去する（例えば、特許文献１）。そして、空気清浄機は、これらの微粒子が除去された清浄な空気を室内に送風する。このようにして、空気清浄機は、室内の空気を清浄に保ち、室内の快適性を向上させる。
【０００３】
このような空気清浄機は、ケーシングと、フィルタと、電気集塵ユニットと、光触媒ユニットと、シロッコファンとを備えている。ケーシングは、室内の空気をケーシング内に吸い込むための吸入口と、清浄後の空気を室内に吹き出すための排出口とを有している。ケーシング内には、上記の機器が、空気吸入口から空気排出口に向かって、フィルタ、電気集塵ユニット、光触媒ユニット、シロッコファンの順に配置されている。シロッコファンは、吸入口からケーシング内に室内の空気を吸い込み、清浄後の空気を排出口から室内に供給するための空気流を生成する。
【０００４】
フィルタは、比較的大きな塵や埃を吸着する。このフィルタは、複数回分の長さを巻き込んだロール状とされており、使用中の面が汚れた場合に引き出して汚れた部分をカットするような構成となっている。さらに、フィルタは、シロッコファンにより発生される空気流れの上流側および下流側の両側からフィルタガイドに挟まれることにより、断面視波形とされている。電気集塵ユニットは、たばこの煙などの微小な粒子を帯電させて吸着する。光触媒ユニットは、フィルタにおいて吸着されなかった悪臭成分や有害物質などの微粒子を分解し、細菌やウィルスなどの微生物を不活性化する。
【０００５】
【特許文献１】
特開２００２−１８６８１４号公報
【０００６】
【発明が解決しようとする課題】
ところで、上記のような空気清浄機では、微粒子の吸着効率を向上させるために、フィルタガイドを用いて光触媒フィルタを断面視波形状としている。したがって、使用中の面が汚れたフィルタを交換する場合には、例えば空気清浄機のユーザなどは、ロール状のフィルタを引き出し、フィルタガイドを用いて引き出したフィルタを挟む必要がある。しかし、フィルタは伸縮性の低い材料から生成されることが多いため、ユーザがフィルタをフィルタガイドで挟む際に、フィルタが破れる可能性がある。それゆえ、フィルタの交換時には、空気清浄機のユーザは、フィルタをたるませるなどの細かい作業を行う必要がある。
【０００７】
このように、従来の空気調和装置では、フィルタを交換して使用状態とするために手間がかかっている。
そこで、本発明では、容易に設置することができ、且つ、集塵効率を向上することができるフィルタおよび空気調和装置を提供することを目的とする。
【０００８】
【課題を解決するための手段】
請求項１に記載のフィルタは、空気を清浄するためのフィルタであって、集塵部と、変形部とを備えている。集塵部は、空気中の粒子を集塵する。変形部は、集塵時において集塵部を屈曲状態とするように収縮する。
このフィルタでは、集塵時においては、変形部が収縮することにより、集塵部が屈曲状態となる。集塵部は、屈曲状態で空気中の粒子を集塵する。
【０００９】
ここでは、集塵時において、集塵部は変形部により屈曲状態とされている。つまり、フィルタが、集塵部を屈曲状態とする変形部を備えている。したがって、例えば、ユーザなどが何らかの作業を行ってフィルタを屈曲状態とする必要がない。このため、このフィルタでは、フィルタの設置が容易となる。また、集塵時には、集塵部は、屈曲状態である。したがって、空気に接触する表面部の面積が増加するため、集塵効率が向上される。
【００１０】
このため、このフィルタでは、容易に設置することができ、且つ、集塵効率を向上することができる。
請求項２に記載のフィルタは、請求項１に記載のフィルタであって、変形部は、さらに、収納時において、集塵部を伸張状態とするように伸張している。
ここでは、集塵部が、収納時において伸張状態である。したがって、このフィルタでは、隙間無く密着して収納することができる。このため、このフィルタでは、収納スペースを低減することができる。
【００１１】
請求項３に記載のフィルタは、請求項１または２に記載のフィルタであって、変形部は、集塵時において屈曲状態と伸張状態とを保持している。
ここでは、集塵時において、集塵部の屈曲状態が、変形部により保持されている。つまり、集塵中に、集塵部の屈曲状態が変化することがない。このため、このフィルタでは、集塵中において、集塵効率が一定に保たれる。また、収納時において、集塵部の伸張状態が、変形部により保持されている。つまり、収納中に、集塵部の伸張状態が変化することがない。
【００１２】
請求項４に記載のフィルタは、請求項１から３のいずれかに記載のフィルタであって、集塵部が、波形を有している。波形は、屈曲状態を形成している。また、変形部が、波形のピッチを保持している。
ここでは、集塵部の屈曲状態を形成している波形のピッチが、変形部により保持されている。このフィルタでは、集塵部の全長を保持することができる。
【００１３】
請求項５に記載のフィルタは、請求項４に記載のフィルタであって、集塵部は、折れ目を有している。折れ目は、波形を形成している。
ここでは、集塵部が、波形を形成する折れ目を有している。したがって、例えば作業者などが集塵部を交互に折り曲げることにより、この折れ目を容易に製作することができる。このため、このフィルタでは、製作の容易性が向上する。
【００１４】
請求項６に記載のフィルタは、請求項４または５に記載のフィルタであって、波形のピッチが一定である。
ここでは、集塵部が有する波形のピッチが一定である。したがって、集塵部は、一様に空気中の粒子を集塵することができる。このため、このフィルタでは、集塵部の全面が空気中の粒子の集塵に有効に活用される。
【００１５】
請求項７に記載のフィルタは、請求項１から６のいずれかに記載のフィルタであって、集塵部は、収納時において、円筒状に巻かれている。
ここでは、集塵部が、収納時において、円筒状に巻かれている。したがって、収納時において、収納スペースが低減される。このため、このフィルタでは、収納スペースがさらに低減される。
【００１６】
請求項８に記載の空気調和装置は、調和空気を所定空間に供給するための空気調和装置であって、ケーシングと、送風部と、フィルタとを備えている。送風部は、ケーシング内に外部の空気を吸い込む。さらに、送風部は、ケーシング内に吸い込んだ空気を所定空間に吹き出す。フィルタは、ケーシング内に吸い込まれる空気が通過する。さらに、フィルタは、請求項１から７のいずれかに記載のフィルタである。
【００１７】
ここでは、集塵時において、集塵部は変形部により屈曲状態とされている。つまり、フィルタが、集塵部を屈曲状態とする変形部を備えている。したがって、例えば、ユーザなどが何らかの作業を行ってフィルタを屈曲状態とする必要がない。このため、この空気調和装置では、フィルタの設置が容易となる。また、集塵時には、集塵部は、屈曲状態である。したがって、空気に接触する表面部の面積が増加するため、集塵効率が向上される。
【００１８】
【発明の実施の形態】
＜空気清浄機の全体構成＞
図１に、本発明の一実施の形態が採用される空気清浄機１の外観図を示す。
空気清浄機１は、ビルや住宅などの室内空気を清浄し清浄後の空気を室内に送風することにより、室内を快適な環境に保つ。この空気清浄機１は、ケーシング１０と、送風機構２０（図２参照）と、制御部５０（図３参照）と、フィルタユニット３０（図２参照）とを備えている。
【００１９】
ケーシング１０は、空気清浄機１の外表面を構成し、送風機構２０と、制御部５０と、フィルタユニット３０とを内包する。ケーシング１０は、本体部１１と、正面パネル１２とを有している。
本体部１１は、上面吸い込み口１３と、側面吸い込み口１４と、吹き出し口１５とを有している。上面吸い込み口１３と側面吸い込み口１４とは、空気清浄機１内において室内空気を清浄するために、室内空気を空気清浄機１内に吸い込むための略矩形の開口である。上面吸い込み口１３は、吹き出し口１５が設けられる面と同じ本体部１１上面の正面側端部に設けられる。側面吸い込み口１４は、本体部１１の側面に左右それぞれ設けられる一対の開口である。吹き出し口１５は、本体部１１上面の背面側端部に設けられる。吹き出し口１５は、清浄後の空気を空気清浄機１から室内に向かって吹き出すための開口である。
【００２０】
正面パネル１２は、本体部１１の前方に設けられ、本体部１１の内部に設置されるフィルタユニット３０を覆っている。正面パネル１２は、正面吸い込み口１６と、表示パネル開口１７とを有している。正面吸い込み口１６は、正面パネル１２の略中央部に設けられる室内空気を空気清浄機１内に吸い込むための略矩形の開口である。表示パネル開口１７は、後述する表示パネル５６がケーシング１０外部から目視できるように設けられている。
【００２１】
送風機構２０は、各吸い込み口（上面吸い込み口１３、側面吸い込み口１４および正面吸い込み口１６）から室内空気を吸い込み、吹き出し口１５から清浄後の空気を吹き出す。この送風機構２０は、ケーシング１０の内方に設けられ、各吸い込み口から吸い込んだ室内空気がフィルタユニット３０を通過するように構成されている。また、送風機構２０は、図２に示されるように、ファンモータ２１と、ファンモータ２１によって回転駆動される送風ファン２２とを備えている。ファンモータ２１としては、インバータ回路により周波数制御されるインバータモータが採用される。送風ファン２２としては、遠心ファンが採用される。
【００２２】
制御部５０は、マイクロプロセッサで構成されている。図３に示されるように、制御部５０には、制御プログラムや各種パラメータが格納されるＲＯＭ５１、処理中の変数などを一時的に格納するＲＡＭ５２などが接続されている。
また、制御部５０には、湿度センサ５３、温度センサ５４、ダストセンサ５５などの各種センサ類が接続されており、各センサの検出信号が入力される。ダストセンサ５５は、導入される空気中に光を照射し、空気中に含まれる煙、ホコリ、花粉、その他の粒子によって乱射されて受光素子に到達した光量を検出して、粉塵などの粒子濃度を測定することができる。
【００２３】
さらに、制御部５０には、表示パネル５６が接続されている。表示パネル５６は、運転モード、各種センサによるモニタ情報、タイマ情報、メンテナンス情報などを表示し、使用者などが外部から表示パネル開口１７を介して目視できるようになっている。また、この表示パネル５６は、液晶表示パネル・ＬＥＤ・その他の表示素子またはこれらの組み合わせで構成することが可能である。
【００２４】
さらに、制御部５０は、ファンモータ２１に接続されており、使用者の操作や各種センサの検出結果などに応じて、これらの装置の稼働を制御することができる。
（フィルタユニット）
フィルタユニット３０は、ケーシング１０の内部に設けられ、各吸い込み口１３，１４，１６から吸い込んだ室内空気に含まれる微粒子を除去する。図２に示されるように、フィルタユニット３０は、プレフィルタ３１と、プラズマイオン化部３２と、第１光触媒フィルタ３３と、第２光触媒フィルタ３４と、インバータランプ３５とを有している。フィルタユニット３０は、各吸い込み口から吸い込んだ室内空気がプレフィルタ３１、プラズマイオン化部３２、第１光触媒フィルタ３３、第２光触媒フィルタ３４の順にフィルタユニット３０内を通過するように構成されている。
【００２５】
プレフィルタ３１は、送風機構２０によりケーシング１０内に吸い込まれる空気から比較的大きな塵埃などを除去するためのフィルタである。
プラズマイオン化部３２は、プレフィルタ３１通過後の空気に含まれる塵埃などに強い電荷をかけて帯電させる。この帯電により、後述する第１光触媒フィルタ３３の静電フィルタにおける塵埃などの捕集効率が高められる。
【００２６】
図４（ａ）に第１光触媒フィルタ３３の側面図を、図４（ｂ）に第１光触媒フィルタ３３の正面図をそれぞれ示す。第１光触媒フィルタ３３は、複数回分の長さを巻き込んだロール状とされており、使用中の面が汚れた場合に引き出して汚れた部分をカットするような構成となっている。第１光触媒フィルタ３３は、集塵部３３０と、ゴムひも３３１とを有している。集塵部３３０は、通過する空気中の粒子を集塵している。ゴムひも３３１は、集塵部３３０の空気流れ上流側表面と下流側表面とに設けられる一対のゴムひもである。この第１光触媒フィルタ３３では、ゴムひも３３１は、正面視略中央と正面視左右両端との３カ所に設けられている。このゴムひも３３１は、第１光触媒フィルタ３３が未使用の時には、集塵部３３０が伸張状態となるように延びている。このとき、ゴムひも３３１は、集塵部３３０の伸張状態を保持している。また、このとき、集塵部３３０は、円筒形状に巻かれている。使用中の第１光触媒フィルタ３３においては、ゴムひも３３１は、集塵部３３０が三角波形となるように収縮している。このとき、ゴムひも３３１は、集塵部を形成する三角波形と三角波形のピッチとを保持している。この三角波形のピッチは、一定の長さとなっている。また、使用時における集塵部３３０の三角波形は、集塵部３３０の折れ目３３２により形成されている。この第１光触媒フィルタ３３は、静電フィルタ（図示せず）と光触媒フィルタ（図示せず）とが積層されることにより、形成されている。静電フィルタは送風機構２０による空気流れの上流側に、光触媒フィルタは空気流れの下流側にそれぞれ配置される。静電フィルタは、プラズマイオン化部３２で帯電させられた塵埃などを吸着する。光触媒フィルタには、静電フィルタを通過する塵埃などが付着する。
【００２７】
第２光触媒フィルタ３４には、光触媒作用を有する酸化チタンが担持されている。第２光触媒フィルタ３４では、第１光触媒フィルタ３３に吸着されなかった空気中の埃や塵などを吸着する。この第２光触媒フィルタ３４は、吸着された埃や塵などに含まれるカビ菌や細菌などを酸化チタンにより除菌する。
インバータランプ３５は、第１光触媒フィルタ３３と第２光触媒フィルタ３４と間に配置されている。このインバータランプ３５は、第１光触媒フィルタ３３の光触媒フィルタと第２光触媒フィルタ３４とに紫外線を照射するものであり、各光触媒フィルタの光触媒作用を活性化する。
【００２８】
＜本空気清浄機の特徴＞
（１）
この空気清浄機１では、集塵部３３０が、使用時において、ゴムひも３３１により三角波形とされている。つまり、第１光触媒フィルタ３３は、集塵部３３０を三角波形とするゴムひも３３１を有している。したがって、空気清浄機１のユーザなどが、何らかの作業を行って、集塵部３３０を三角波形にする必要がない。このため、この空気清浄機１では、フィルタを容易に設置することができる。また、集塵部３３０の使用時には、集塵部３３０は、ゴムひも３３１により三角波形とされている。したがって、通過する空気に接触する集塵部３３０の表面面積が増加するため、集塵効率が向上される。このため、空気清浄機１では、第１光触媒フィルタ３３を容易に設置することができ、且つ、集塵効率を向上することができる。
【００２９】
（２）
この空気清浄機１では、集塵部３３０が未使用の場合には、集塵部３３０は、ゴムひも３３１により伸張状態とされている。したがって、第１光触媒フィルタ３３を隙間無く密着させて収納することができる。このため、この空気清浄機１では、第１光触媒フィルタ３３の収納スペースを低減することができる。
【００３０】
（３）
この空気清浄機１では、集塵部３３０の使用時において、集塵部３３０の波形形状が、ゴムひも３３１により保持されている。つまり、集塵中に、集塵部３３０の三角波形形状が変化することがない。それゆえ、集塵中において、集塵部３３０における集塵効率が一定に保たれる。また、集塵部３３０の収納時において、集塵部３３０の伸張状態が、ゴムひも３３１により保持されている。つまり、収納中に、集塵部３３０の伸張状態が変化することがない。
【００３１】
（４）
この空気清浄機１では、集塵部３３０の三角波形を形成している波形のピッチが、ゴムひも３３１により保持されている。このため、この空気清浄機１では、使用時における集塵部３３０の全長を保持することができる。
（５）
この空気清浄機１では、集塵部３３０が、集塵部３３０の三角波形を形成する折れ目３３４を有している。したがって、例えば作業者などが集塵部３３０を交互に折り曲げることにより、この折れ目３３４を容易に製作することができる。このため、この空気清浄機１では、第１光触媒フィルタ３３を容易に製作することができる。
【００３２】
（６）
この空気清浄機１では、集塵部３３０の三角波形を形成する波形のピッチが一定である。したがって、集塵部３３０は、表面全体で一様に空気中の粒子を集塵することができる。このため、この空気清浄機１では、集塵部３３０の表面が空気中の粒子の集塵に有効に活用される。
【００３３】
（７）
この空気清浄機１では、集塵部３３０が、収納時において、円筒状に巻かれている。したがって、収納時において、第１光触媒フィルタ３３の収納スペースが低減される。このため、この空気清浄機１では、第１光触媒フィルタ３３の収納スペースがさらに低減される。
【００３４】
（８）
この空気清浄機１では、集塵部３３０の使用時には、集塵部３３０は、ゴムひも３３１により三角波形形状とされている。したがって、第１光触媒フィルタ３３の厚さを一定に保ったままで、第１光触媒フィルタ３３の集塵効率を向上することができる。それゆえ、厚さの大きい光触媒フィルタを用いる場合と比べて、第１光触媒フィルタ３３を通過する空気の抵抗が低減される。このため、この空気清浄機１では、第１光触媒フィルタ３３を通過する空気の空気抵抗が低減される。
【００３５】
＜他の実施の形態＞
以上、本発明について説明したが、具体的な構成は、上記の実施の形態に限られるものではなく、発明の要旨を逸脱しない範囲で変更可能である。
（Ａ）
上記実施の形態では、使用時において、集塵部３３０が三角波形となるように、ゴムひも３３１が収縮している。しかし、本発明が採用されるフィルタの集塵部の波形形状は、三角波形に限定されるものではない。例えば、第１光触媒フィルタは、図５に示される第１光触媒フィルタ４００であってもよい。
【００３６】
第１光触媒フィルタ４００は、集塵部４３０と、ゴムひも４３１とを有している（図５参照）。使用中の第１光触媒フィルタ４００においては、ゴムひも４３１は、集塵部４３０が正弦波形となるように収縮している。このとき、ゴムひも４３１は、集塵部を形成する正弦波形と正弦波形のピッチとを保持している。この正弦波形のピッチは、一定の長さとなっている。第１光触媒フィルタ４００の他の構成要素は、第１光触媒フィルタ３３の他の構成要素と同様の構成である。
【００３７】
この第１光触媒フィルタ４００を有する空気清浄機でも、集塵部４３０の使用時には、集塵部４３０は、ゴムひも４３１により正弦波形形状とされている。したがって、通過する空気に接触する集塵部４３０の表面面積が増加するため、集塵効率が向上される。このため、この空気清浄機では、集塵効率を向上することができる。
【００３８】
（Ｂ）
上記実施の形態では、集塵部３３０が一定ピッチの三角波形となるように、ゴムひも３３１が収縮している。しかし、本発明が採用されるフィルタの集塵部の波形ピッチは、一定長さに限定されるものではない。例えば、第１光触媒フィルタは、図６に示される第１光触媒フィルタ５００であってもよい。
【００３９】
第１光触媒フィルタ５００は、集塵部５３０と、ゴムひも５３１とを有している（図６参照）。使用中の第１光触媒フィルタ５００においては、ゴムひも５３１は、集塵部４３０が三角波形となるように収縮している。このとき、ゴムひも５３１は、集塵部を形成する三角波形と三角波形のピッチとを保持している。この三角波形のピッチは、一定の長さとなっていない。また、使用時における集塵部３３０の三角波形は、集塵部５３０の折れ目５３２により形成されている。第１光触媒フィルタ５００の他の構成要素は、第１光触媒フィルタ３３の他の構成要素と同様の構成である。
【００４０】
この第１光触媒フィルタ５００を有する空気清浄機でも、集塵部５３０の使用時には、集塵部５３０は、ゴムひも５３１によりピッチが不定の三角波形形状とされている。したがって、通過する空気に接触する集塵部５３０の表面面積が増加するため、集塵効率が向上される。このため、この空気清浄機では、集塵効率を向上することができる。
【００４１】
（Ｃ）
上記実施の形態では、集塵部３３０が、収納時において、円筒状に巻かれている。しかし、収納時における集塵部の形状は、円筒形状に限定されるものではない。例えば、第１光触媒フィルタは、図７に示される第１光触媒フィルタ６００であってもよい。
【００４２】
第１光触媒フィルタ６００は、集塵部６３０と、ゴムひも６３１とを有している（図７参照）。このゴムひも６３１は、集塵部６３０を使用しない場合には、集塵部６３０が、折り重ねられて、延びている。このとき、ゴムひも６３１は、集塵部６３０の伸張状態を保持している。第１光触媒フィルタ６００の他の構成要素は、第１光触媒フィルタ３３の他の構成要素と同様の構成である。
【００４３】
この第１光触媒フィルタ６００を有する空気清浄機でも、収納時における集塵部６３０は、密着して折り重ねられている。したがって、収納時において、第１光触媒フィルタ６００の収納スペースが低減される。このため、この空気清浄機では、第１光触媒フィルタ６００の収納スペースがさらに低減される。
（Ｄ）
上記実施の形態では、本発明を第１光触媒フィルタ３３に適用している。これに代えて（加えて）、プレフィルタ３１および第２光触媒フィルタ３４に本発明を採用してもよい。
【００４４】
（Ｅ）
上記実施の形態では、ゴムひもを用いて集塵部の形状の変更および保持を行っている。これに代えて、ゴムひもを除く他の弾性体（バネなど）を用いて集塵部の形状の変更および保持を行ってもよい。
（Ｆ）
上記実施の形態では、本発明を空気清浄機１に適用しているが、図８に示すような冷暖房を行う空気調和機１００に本発明を適用してもよい。
【００４５】
この空気調和機１００は、調和された空気を室内に供給するための装置であって、室内の壁面などに取り付けられる室内機１０１と、室外に設置される室外機１０２とを備えている。室内機１０１には、室内の空気を空気調和機１００内に取り込むための吸い込み口１０５が設けられており、この吸い込み口１０５の内側にフィルタユニット（図示せず）が装備される。このフィルタユニットに対して本発明を適用した場合にも、フィルタの収納スペースを低減することができ、且つ、集塵効率を向上することができる。
【００４６】
【発明の効果】
以上の説明に述べたように、本発明によれば、以下の効果が得られる。
請求項１に係る発明では、集塵時において、集塵部は変形部により屈曲状態とされている。つまり、フィルタが、集塵部を屈曲状態とする変形部を備えている。したがって、例えば、ユーザなどが何らかの作業を行ってフィルタを屈曲状態とする必要がない。このため、このフィルタでは、フィルタの設置が容易となる。また、集塵時には、集塵部は、屈曲状態である。したがって、空気に接触する表面部の面積が増加するため、集塵効率が向上される。このため、このフィルタでは、容易に設置することができ、且つ、集塵効率を向上することができる。
【００４７】
請求項２に係る発明では、集塵部が、収納時において伸張状態である。したがって、このフィルタでは、隙間無く密着して収納することができる。このため、このフィルタでは、収納スペースを低減することができる。
請求項３に係る発明では、集塵時において、集塵部の屈曲状態が、変形部により保持されている。つまり、集塵中に、集塵部の屈曲状態が変化することがない。このため、このフィルタでは、集塵中において、集塵効率が一定に保たれる。また、収納時において、集塵部の伸張状態が、変形部により保持されている。つまり、収納中に、集塵部の伸張状態が変化することがない。
【００４８】
請求項４に係る発明では、集塵部の屈曲状態を形成している波形のピッチが、変形部により保持されている。このフィルタでは、集塵部の全長を保持することができる。
請求項５に係る発明では、集塵部が、波形を形成する折れ目を有している。したがって、例えば作業者などが集塵部を交互に折り曲げることにより、この折れ目を容易に製作することができる。このため、このフィルタでは、製作の容易性が向上する。
【００４９】
請求項６に係る発明では、集塵部が有する波形のピッチが一定である。したがって、集塵部は、一様に空気中の粒子を集塵することができる。このため、このフィルタでは、集塵部の全面が空気中の粒子の集塵に有効に活用される。
請求項７に係る発明では、集塵部が、収納時において、円筒状に巻かれている。したがって、収納時において、収納スペースが低減される。このため、このフィルタでは、収納スペースがさらに低減される。
【００５０】
請求項８に係る発明では、集塵時において、集塵部は変形部により屈曲状態とされている。つまり、フィルタが、集塵部を屈曲状態とする変形部を備えている。したがって、例えば、ユーザなどが何らかの作業を行ってフィルタを屈曲状態とする必要がない。このため、この空気調和装置では、フィルタの設置が容易となる。また、集塵時には、集塵部は、屈曲状態である。したがって、空気に接触する表面部の面積が増加するため、集塵効率が向上される。
【図面の簡単な説明】
【図１】本発明の一実施の形態が採用される空気清浄機の外観図。
【図２】フィルタユニットおよび送風機構の分解斜視図。
【図３】制御部の概略ブロック図。
【図４】（ａ）第１光触媒フィルタの側面図。
（ｂ）第１光触媒フィルタの正面図。
【図５】本発明の他の実施の形態が採用される第１光触媒フィルタの側面図。
【図６】本発明の他の実施の形態が採用される第１光触媒フィルタの側面図。
【図７】本発明の他の実施の形態が採用される第１光触媒フィルタの側面図。
【図８】本発明の他の実施の形態が採用される空気調和装置の外観図。
【符号の説明】
１                                      空気清浄機（空気調和装置）
１０                                    ケーシング
２０                                    送風機構（送風部）
３３、４００、５００、６００            第１光触媒フィルタ（フィルタ）
１００                                  空気調和装置
３３０、４３０、５３０、６３０          集塵部
３３１、４３１、５３１、６３１          ゴムひも（変形部）
３３２、５３２                          折れ目
【図１】
2004337687.tif 000003
【図２】
2004337687.tif 000004
【図３】
2004337687.tif 000005
【図４】
2004337687.tif 000006
【図５】
2004337687.tif 000007
【図６】
2004337687.tif 000008
【図７】
2004337687.tif 000009
【図８】
2004337687.tif 000010